(57)【要約】【課題】二枚貝類の浮遊幼生の成長度及び生存率を向上させることができる貝類飼育装置を提供する。【解決手段】貝類飼育装置１００は、水Ｗを収容する水槽１０と、水槽１０内の水Ｗの中に浸漬可能な撹拌具２２を有する撹拌部材２０と、水槽１０外に配置された動力手段３０と、動力手段３０の駆動力にて撹拌具２２を回動させる動力伝達機構６０と、を備えている。撹拌部材２０は、棒状の撹拌ロッド２１と、撹拌ロッド２１の先端部２１ａに取り付けられた平板状の撹拌具２２と、を備えている。動力伝達機構６０は、動力手段３０の回転出力軸３２に取り付けられた回動アーム３３と、撹拌ロッド２１の基端部２１ｂと回動アーム３３とを回動自在に軸支する軸体２３と、撹拌ロッド２１の途中をその長手方向に移動自在及び傾動自在に保持するために設けられた保持部材４３と、を備えている。【選択図】図１
2017012121.tif 000002
【特許請求の範囲】
【請求項１】
貝類飼育用の水を収容する水槽と、前記水槽内に収容された水の中に浸漬可能な撹拌具を有する撹拌部材と、前記水槽の外部に配置された動力手段と、前記動力手段の駆動力により前記撹拌具を回動若しくは揺動させる動力伝達機構と、を備えたことを特徴とする貝類飼育装置。
【請求項２】
前記撹拌部材が、棒状の撹拌ロッドと、前記撹拌ロッドの先端部に取り付けられた平板状の撹拌具と、を備え、
前記動力伝達機構が、前記動力手段の回転出力軸に取り付けられた回動アームと、前記撹拌ロッドの基端部と前記回動アームとを互いに回動自在に連結する軸体と、前記撹拌ロッドの基端部と先端部との間の部分を当該撹拌ロッドの長手方向に移動自在及び傾動自在に保持するため定位置に設けられた保持部材と、を備えた請求項１記載の貝類飼育装置。
【請求項３】
前記回動アームの長手方向に対する前記撹拌ロッドの基端部の軸支位置が変更可能である請求項２記載の貝類飼育装置。
【請求項４】
前記保持部材の位置が変更可能である請求項２または３記載の貝類飼育装置。
【請求項５】
前記撹拌具が前記撹拌ロッドに着脱可能である請求項２〜４のいずれかに記載の貝類飼育装置。
【発明の詳細な説明】
【技術分野】
【０００１】
本発明は、貝類の飼育に使用される貝類飼育装置に関し、特に、マガキ、イワガキ、シカメガキ、スミノエガキ、アカガイ類、タイラギ、アサリ，ハマグリ、アコヤガイなどの二枚貝類の浮遊期の幼生飼育に好適に使用される貝類飼育装置に関する。
【背景技術】
【０００２】
二枚貝類の浮遊幼生期は、初期のＤ型期を経て、消化器官の完成した殻頂期（アンボ期）浮遊幼生に成長し、一定の大きさに成長すると、変態を行なって成貝と同じ形態になって、浮遊生活から底棲生活に移行する。
【０００３】
二枚貝類の種苗生産では、浮遊幼生期の飼育成績が、その後の生産の成否を決めるので、これまでの浮遊幼生の飼育においては、生残・成長を良好に保つために、餌料となる微細藻類種の検討や添加栄養剤の検討、あるいは飼育装置の改良や飼育水の管理技術の検討が行なわれてきた。
【０００４】
しかしながら、それらの努力にもかかわらず、飼育過程においては、成長停滞あるいは大量斃死の発生がしばしば起こり、安定的な種苗生産に支障をきたしているのが実状である。
【０００５】
本願発明者が、不調を呈した浮遊幼生の斃死状況を観察し、検討を行ったところ、細菌や餌残渣が溜り、水槽の底面あるいは水槽中の水面に斃死フロックを形成していることを確認し、これが、不調の一因として、水槽環境の悪化を引き起こし、幼生の大量斃死を引き起こす可能性に想到するに至った。
【０００６】
このような障害は、沈下若しくは浮上して凝集塊を形成した斃死幼生や植物プランクトンが飼育海水の腐敗や酸素の欠乏、病原細菌を引き起こしていることに起因すると考えられる。即ち、原因不明の成長不良や減耗の一因として、海水の運動性の停滞が、幼生の斃死原因に至ると推察した。
【０００７】
そこで、このような問題を解決する手段の一つとして、障害因子である、水槽内の海水の停滞を解消するために、爆気処理を行ったり、ポンプで海水を流動させたりする技術が提案されている（例えば、特許文献１参照。）。
【先行技術文献】
【特許文献】
【０００８】
【特許文献１】特開２０１２−５９４７号公報
【発明の概要】
【発明が解決しようとする課題】
【０００９】
障害因子である海水の停滞を解決するために、爆気処理を行ったり、ポンプで海水を流動させたりしても、水槽内の水全体を隅々まで混合し、水槽の底面や水面の夾雑物のフロック形成を抑制することは容易ではない。
【００１０】
また、特許文献１記載のポンプエアレーション装置を使用した場合、水槽内で飼育されている幼生そのものが、ポンプのインペラ（羽根）部分を通過するので、通過中に物理的衝撃を受け、これによって幼生の数ミクロン厚の薄い貝殻が破損するなどして、成長阻害要因となる。さらに、イワガキやタイラギなどのように、爆気を行うと幼生が気泡に捕捉され、水面に浮上して凝集塊を作り、斃死を起こす二枚貝もある。
【００１１】
そこで、本発明が解決しようとする課題は、二枚貝類の浮遊幼生の成長度及び生存率を向上させることができる貝類飼育装置を提供することにある。
【課題を解決するための手段】
【００１２】
本発明に係る貝類飼育装置は、貝類飼育用の水を収容する水槽と、前記水槽内に収容された水の中に浸漬可能な撹拌具を有する撹拌部材と、前記水槽の外部に配置された動力手段と、前記動力手段の駆動力により前記撹拌具を回動若しくは揺動させる動力伝達機構と、を備えたことを特徴とする。
【００１３】
このような構成とすれば、水槽内に収容された水中に浸漬された撹拌具を、動力手段の駆動力にて回動若しくは揺動させて水を撹拌することにより、水槽内の水中で飼育中の浮遊幼生に与える物理的衝撃を抑制しつつ、水槽内の水を隅々まで混合することができる。従って、幼生の成長阻害要因が大幅に軽減され、二枚貝類の浮遊幼生の成長度及び生存率を向上させることができる。
【００１４】
ここで、前記貝類飼育装置においては、
前記撹拌部材が、棒状の撹拌ロッドと、前記撹拌ロッドの先端部に取り付けられた平板状の撹拌具と、を備え、
前記動力伝達機構が、前記動力手段の回転出力軸に取り付けられた回動アームと、前記撹拌ロッドの基端部と前記回動アームとを回動自在に軸支する軸体と、前記撹拌ロッドの基端部と先端部との間の部分を当該撹拌ロッドの長手方向に移動自在及び傾動自在に保持するため定位置に設けられた保持部材と、を備えたものであることが望ましい。
【００１５】
また、前記貝類飼育装置において、前記回動アームの長手方向に対する前記撹拌ロッドの基端部の軸支位置が変更可能であることが望ましい。
【００１６】
さらに、前記貝類飼育装置において、前記保持部材の位置が変更可能であることが望ましい。
【００１７】
一方、前記貝類飼育装置においては、前記撹拌具が前記撹拌ロッドに着脱可能とすることもできる。
【発明の効果】
【００１８】
本発明により、二枚貝類の浮遊幼生の成長度及び生存率を向上させることができる貝類飼育装置を提供することができる。
【図面の簡単な説明】
【００１９】
【図１】本発明の実施形態である貝類飼育装置を示す一部切欠正面図である。
【図２】図１中の矢線Ａで示す部分を一部省略して示す斜視図である。
【図３】図１中に示す撹拌具の回動状態を示す一部省略正面図である。
【発明を実施するための形態】
【００２０】
以下、図１〜図３に基づいて、本発明の実施形態である貝類飼育装置１００について説明する。
【００２１】
図１に示すように、本実施形態の貝類飼育装置１００は、貝類飼育用の水Ｗを収容する水槽１０と、水槽１０内に収容された水Ｗの中に浸漬可能な撹拌具２２を有する撹拌部材２０と、水槽１０の外部に配置された動力手段３０と、動力手段３０の回転駆動力により撹拌具２２を回動させる動力伝達機構６０と、を備えている。
【００２２】
撹拌部材２０は、棒状の撹拌ロッド２１と、撹拌ロッド２１の先端部（下端部）２１ａに着脱可能に取り付けられた四角形平板状の撹拌具２２と、を備えている。撹拌具２２は四角形平板状に限定しないので、使用条件に応じた形状の撹拌具を、撹拌ロッド２１の先端部２１ａに着脱可能に取り付けることができる。
【００２３】
動力伝達機構６０は、動力手段３０の回転出力軸３２に取り付けられた回動アーム３３と、撹拌ロッド２１の基端部（上端部）２１ｂと回動アーム３３とを互いに回動自在に連結する軸体２３と、撹拌ロッド２１の基端部２１ｂと先端部２１ａとの間の部分（撹拌ロッド２１の長手方向の中間付近）を当該撹拌ロッド２１の長手方向に移動自在及び傾動自在に保持するため定位置に設けられた保持部材４３と、を備えている。図２に示すように、保持部材４３は撹拌ロッド２１の外径より大きな内径を有するリング部４３ａと、リング部４３ａの外周から半径方向に突出したピン部４３ｂと、で形成されている。なお、撹拌ロッド２１は、伸縮可能なものを使用することもできる。
【００２４】
図１に示すように、水槽１０は所定の設置面上に載置され、水槽１０の上方に設けられた支持構造体５０（例えば、建物の梁部材や天井材など）から垂下された複数の吊部材４１によって水平状態に保持された基板４０上に動力手段３０が取り付けられている。本実施形態において、動力手段３０は、保護カバー３５内に収容されたモータ３１である。モータ３１の回転軸（図示せず）には、所定の減速機構（図示せず）を介して回転出力軸３２が水平姿勢をなすように連結され、回転出力軸３２の先端部に、当該回転出力軸３２と直交する状態で回動アーム３３の基端部が取り付けられている。
【００２５】
回動アーム３３の先端部寄りの部分には、複数の貫通孔３４が回動アーム３３の長手方向に沿って所定間隔をおいて開設されている。複数の貫通孔３４のうちの一つに軸体２３が着脱可能に取り付けられ、この軸体２３に、撹拌ロッド２１の基端部２１ｂが回動自在に軸支されている。複数の貫通孔３４のうちのどれに軸体２３を取り付けるかを選択することにより、回動アーム３３の長手方向に対する撹拌ロッド２１の基端部２１ｂの軸支位置が変更可能である。
【００２６】
基板４０の下面側には帯板状の支持部材４２が鉛直姿勢で取り付けられ、水槽１０の上方に位置する支持部材４２の下端部寄りの部分には、複数の貫通孔４４が支持部材４２の長手方向に沿って所定間隔をおいて開設されている。複数の貫通孔４４のうちの一つに保持部材４３のピン部４３ｂを挿入することにより、保持部材４３が支持部材４２に着脱可能に取り付けられている。複数の貫通孔４４のうちのどれに保持部材４３のピン部４３ｂを挿入するかによって保持部材４３の位置が鉛直方向に沿って変更可能である。
【００２７】
図２に示すように、保持部材４３は、そのリング部４３ａが水平姿勢をなす状態で支持部材４２に取り付けられ、リング部４３ａ内に撹拌ロッド２１の中間付近が挿通されている。保持部材４３のリング部４３ａの内径を、撹拌ロッド２１の外径より大きく設定することにより、リング部４３ａの内周と撹拌ロッド２１の外周との間には隙間が形成されている。このため、撹拌ロッド２１は、定位置に係止された状態にある保持部材４３のリング部４３ａ内において、保持部材４３の長手方向（矢線Ｖ１，Ｖ２）に移動可能であり、且つ、矢線Ｌ１，Ｌ２方向に傾動可能である。
【００２８】
図１に示す貝類飼育装置１００において、動力手段３０のモータ３１を稼働させると、回転出力軸３２及び回動アーム３３が時計回り（矢線Ｒ１方向）に回転し、これに伴って撹拌ロッド２１の基端部２１ｂが軸体２３とともに矢線Ｒ１方向に回転する。このとき、図２に示すように、撹拌ロッド２１の中間部分は、保持部材４３のリング部４３ａにより、矢線Ｖ１，Ｖ２方向及び矢線Ｌ１，Ｌ２方向以外に動かないように拘束されているので、保持部材４３が支点として機能し、撹拌ロッド２１の先端部２１ａ及び撹拌具２２は、水Ｗの中で反時計回り（矢線Ｒ２方向）に回転する。なお、リング部４３ａの内周と撹拌ロッド２１の外周との間には隙間が存在し、この隙間が遊びとして機能するので、撹拌ロッド２１の中間部分は矢線Ｖ１，Ｖ２方向及び矢線Ｌ１，Ｌ２方向に円滑に動くことができる。
【００２９】
このような過程において、図３に示すように、水Ｗの中では、撹拌ロッド２１の先端部２１ａに取り付けられた四角形平板状の撹拌具２２は、その姿勢を変えながら、仮想水平線Ｃを中心に円を描くように回転し、これによって、水槽１０内の水Ｗが撹拌される。なお、モータ３１の制御回路（図示せず）を調整することにより、回転出力軸３２の回転数は５ｒｐｍ〜１０ｒｐｍの範囲内若しくはこれより広範囲内において変更可能である。
【００３０】
以上のように、貝類飼育装置１００においては、水槽１０内に収容された水Ｗの中に浸漬された撹拌具２２を、動力手段３０の回転駆動力にて回動させて水Ｗを撹拌することにより、水槽１０内の水Ｗの中で飼育中の浮遊幼生（図示せず）に与える物理的衝撃を抑制しつつ、水槽１０内の水Ｗを隅々まで混合することができる。
【００３１】
従って、幼生の成長段階などに応じて、撹拌具２２の回転速度（回転数）や回転範囲を適切に設定して、水槽１０中の水Ｗを撹拌すれば、水Ｗの混合と対流が促進され、水槽１０の底面環境の悪化や水面Ｗ１の悪化などの幼生の成長阻害要因が大幅に軽減されるため、二枚貝類の浮遊幼生の成長度及び生存率を向上させることができる。
【００３２】
貝類飼育装置１００においては、図１，図３に示すように、撹拌具２２は水面Ｗ１以下の水Ｗの中において回動するような状態で使用することができるが、撹拌具２２の回動範囲の一部が水面Ｗ２より高くなるように設定することもできる。撹拌具２２の回動範囲の一部が水面Ｗ２より高くなるように設定すると、撹拌具２２は水面Ｗ２から空気中に浮上したり、水面Ｗ２から水Ｗの中へ没入したりを繰り返し、水面Ｗ２付近を強く撹拌する作用が生じるので、水面付近の環境悪化を抑制する効果を高めることができる。
【００３３】
また、貝類飼育装置１００においては、一つの水槽１０に対し、一組の撹拌手段（撹拌部材２０、動力手段３０及び動力伝達機構６０）を設けているが、これに限定するものではなく、水槽１０のサイズや各種養殖条件などに応じて、複数組の撹拌手段（撹拌部材２０、動力手段３０及び動力伝達機構６０）を設けることもできる。
【００３４】
なお、図１〜図３に基づいて説明した貝類飼育装置１００は本発明の一例を示すものであり、本発明に係る貝類飼育装置は、前述した貝類飼育装置１００に限定されない。
【産業上の利用可能性】
【００３５】
本発明の貝類飼育装置は、二枚貝その他の貝類を養殖する装置として、水産業の一部をなす増養殖産業分野（例えば、養殖業や栽培漁業）などにおいて、広く利用することができる。
【符号の説明】
【００３６】
１０  水槽
２０  撹拌部材
２１  撹拌ロッド
２１ａ  先端部（下端部）
２１ｂ  基端部（上端部）
２２  撹拌具
２３  軸体
３０  動力手段
３１  モータ
３２  回転出力軸
３３  回動アーム
３４，４４  貫通孔
３５  保護カバー
４０  基板
４１  吊部材
４２  支持部材
４３  保持部材
４３ａ  リング部
４３ｂ  ピン部
５０  支持構造体
６０  動力伝達機構
１００  貝類飼育装置
【図１】
2017012121.tif 000003
【図２】
2017012121.tif 000004
【図３】
2017012121.tif 000005